(57)【特許請求の範囲】
【請求項１】
不織布からなる使い捨ての清掃用シートにおいて、
使用時において汚れを吸着しやすい易汚染部と汚れを吸着しにくい難汚染部とを具備しており、
使用に伴って易汚染部が汚染されることにより難汚染部が視覚的に浮き出て見え使用者に取り替え時期を知らせるようになされていることを特徴とする清掃用シート。
【請求項２】
上記難汚染部は、上記不織布をエンボス処理して形成された凹部であるか、又はフィルム化されて形成されていることを特徴とする請求項１記載の清掃用シート。
【請求項３】
上記不織布は、該不織布に汚れ吸着性を付与する油剤が塗布されており、上記難汚染部は、該油剤を塗布しないことにより形成された非油剤塗布部であることを特徴とする請求項１記載の清掃用シート。
【請求項４】
清掃具に取り付けて使用されることを特徴とする請求項１記載の清掃用シート。
【請求項５】
上記難汚染部は、上記清掃具の清掃部全体に亘って位置するように設けられていることを特徴とする請求項４記載の清掃用シート。
【発明の詳細な説明】
【０００１】
【発明の属する技術分野】
本発明は、使用者が取り替え時期を容易に知ることができ、清掃効率の向上された清掃用シートに関する。
【０００２】
【従来の技術及び発明が解決しようとする課題】
不織布からなる使い捨ての清掃用シートは、従来より広く用いられており、最近では、床拭き用やハンディタイプの清掃具に取り付けて使用される清掃用シートも汎用されている。
【０００３】
しかし、従来の清掃用シートでは、取り替え時期が判らずに、シートの清掃能力が十分に汚れを吸着できない程度に低下しても、使用し続ける場合があり、このような場合に清掃効率が著しく低下するという問題がある。
【０００４】
本発明の目的は、取り替え時期を容易に知ることができ、清掃効率が高い状態で清掃を行うことができる清掃用シートを提供することにある。
【０００５】
【課題を解決するための手段】
本発明者らは、清掃部に汚れを吸着しやすい易汚染部と吸着しにくい難汚染部とを設けて成る清掃用シートが上記目的を達成しうることを知見した。
【０００６】
本発明は、不織布からなる使い捨ての清掃用シートにおいて、使用時において汚れを吸着しやすい易汚染部と汚れを吸着しにくい難汚染部とを具備しており、使用に伴って易汚染部が汚染されることにより難汚染部が視覚的に浮き出て見え使用者に取り替え時期を知らせるようになされている清掃用シートを提供するものである。
【０００７】
【発明の実施の形態】
以下、本発明について、図面を参照して更に詳述する。
【０００８】
ここで、図１は、本発明の清掃用シートの第１の形態としてのハンディタイプの清掃用シートを示す平面図である。
【０００９】
図２は、図１に示す清掃用シートをハンディタイプの清掃具に取り付けた使用態様を示す斜視図である。
【００１０】
本形態の清掃用シート１は、図１に示すように、不織布からなる使い捨ての清掃用シートである。
【００１１】
上記清掃用シート１は、図１に示すように、周縁部が連続的な山型状にカットされた２枚の不織布１ａが、ヒートシールによって貼り合わされて挿入空間Ｓ（図２参照）を有する扁平な袋状に形成されたものである。即ち、本形態の清掃用シート１には、先端部に二つの角部を有する形状の幅５ｍｍのシール部１１が設けられていると共に、該シール部１１の外側に、清掃用シート１の周縁部に沿う連続的な山型の非シール部１１ａが設けられている。また、本形態の清掃用シート１においては、上記シール部１１を除く部分全面が清掃部１０である。
【００１２】
上記清掃用シート１を構成する不織布１ａは、吸塵性及び耐摩耗性に優れている繊維材料及び構造からなる不織布が特に好ましく使用される。この様な性質を備えた好ましい不織布としては、例えば、スパンレース不織布、スパンボンド不織布、サクション不織布、ヒートボンド不織布、メルトブローン不織布等が挙げられる。
【００１３】
不織布を形成する繊維組成は、貼り合わせの形態により適宜選定することができるが、後述のように、不織布をヒートシールにより貼り合わせて清掃用シートを形成する場合には、好ましい不織布として、例えば、清掃面側にポリエチレンテレフタレート（ＰＥＴ）繊維製の不織布を使用するとともに、貼り合わせ面側にＰＥＴ／ポリエチレン（ＰＥ）（芯／鞘）複合繊維製の不織布を使用し、これらの不織布を、ポリプロピレン（ＰＰ）繊維を格子状に形成したＰＰネットを介しウォーターニードリングで不織布化したものを使用することが好ましい。この場合、特に、貼り合わせ面側に使用する不織布を構成する上記ＰＥＴ／ＰＥ（芯／鞘）複合繊維は、ＰＥを１０〜９０ｗｔ％含むものが好ましい。
【００１４】
また、上記不織布１ａには、汚れ（埃、塵等）を吸着しやすくするために、油剤が塗布される。
【００１５】
上記油剤としては、流動パラフィン、ワセリン、鉱物油、合成油、動物油、植物油、アニオン，カチオン又はノニオン等の界面活性剤等及びこれらの混合物が挙げられる。
【００１６】
上記シール部１１は、先端部に角部を有する形態であるが、平面視してＵ字状、Ｖ字状等の形態とすることもできる。シール部は、超音波シール法、ホットメルト接着剤を用いたシール法、ヒートシール法等の各シール法を採用して形成できる。
【００１７】
シール部１１の外側に設ける非シール部１１ａの幅は、不織布１ａの周縁部から好ましくは１ｍｍ〜５０ｍｍ、更に好ましくは、５ｍｍ〜３０ｍｍである。上記１ｍｍよりも幅が狭いと、シール部１１で清掃対象物を傷つけ易くなるほか、該非シール部１１ａでの吸塵効果がほとんどなくなり、また、上記５０ｍｍを超えると、非シール部１１ａの腰がなくなって清掃し辛くなる。
【００１８】
而して、本形態の清掃用シート１は、図１に示すように、使用時に汚れを吸着しやすい易汚染部１２と汚れを吸着しにくい難汚染部１３とを具備しており、使用に伴って易汚染部１２が汚染されることにより難汚染部１３が視覚的に浮き出て見え使用者に取り替え時期を知らせるようになされている。
【００１９】
更に詳述すると、図１に示すように、難汚染部１３は、清掃部４に象やカバなどのマークとして設けられている。尚、難汚染部１３は、これらのマークを形成する線の部分のみであり、線で囲まれた内部は易汚染部１２である。難汚染部１３は、清掃に使用する部位全体に亘って設けられている。
【００２０】
難汚染部１３は、汚れを吸着し難くしてある部位であり、下記の如くして形成されるものである。
【００２１】
▲１▼エンボスにより形成
清掃用シートを形成する不織布を、所定の温度、圧力、クリアランスおよび加工速度により、０．１ｍｍ以上の深さの凹部が形成されるように、凹状エンボス処理により形成する。
【００２２】
▲２▼フィルム化により形成
清掃用シートを形成する不織布に、ヒートエンボスまたは被膜形成塗料やポリマーフィルムを接着させることにより、不織布の一部（所定形状）をフィルム化して、上記難汚染部を形成する。
【００２３】
▲３▼油剤を塗布しないことにより形成
清掃用シートを形成する不織布を製造する際に、所定の形状で油剤を塗布しない箇所を設け、上記難汚染部を形成する。
【００２４】
換言すると、難汚染部１３は、不織布をエンボス処理してなるエンボス処理部であり、このような場合には、難汚染部としての凹部が形成され、該難汚染部１３は上記易汚染部１２に比して薄く（該難汚染部１３よりも該易汚染部１２の方が嵩高く）なされる。
【００２５】
また、上記難汚染部１３は、フィルム化してフィルム化部とすることにより形成してもよい。
【００２６】
また、上記難汚染部１３は、一部に油剤を塗布しない非油剤塗布部を形成することにより形成してもよい。即ち、不織布は、該不織布に汚れ吸着性を付与する油剤が塗布されており、上記難汚染部は、該油剤を塗布しないことにより形成された非油剤塗布部である。この場合には、該難汚染部１３と該易汚染部１２とは、ほぼ同じ高さ（嵩高さ）となる。
【００２７】
上記難汚染部１３の面積は、清掃部の清掃能力に支障を与えない限りで任意であるが、清掃に使用する部位全体の面積中０．１〜３０％とするのが好ましい。
【００２８】
難汚染部１３と易汚染部１２とは、清掃部１０が汚れ（塵・埃）を捕集しにくくなるまで、清掃操作を行った後、難汚染部の所定の形状が一見して認識される程度に、汚れの吸着性に差を設ければよい。この差は色差で表すことができ、難汚染部１３と易汚染部１２との色差ΔＥ* ａｂ（ＪＩＳ  Ｚ８７２９）が、好ましくは１．５以上、更に好ましくは３以上、最も好ましくは６以上となるように吸着性に差があることが好ましい。このように色差が生じることにより、難汚染部が視覚的に浮き出た状態となって見える。
【００２９】
本発明の清掃用シート１は、通常のハンディタイプの清掃用シートと同様に、手に装着して使用されるとともに、下記のようなハンディタイプの清掃具に取り付けて使用される。
【００３０】
詳細には、上記清掃用シート１は、図２に示すように、挿入空間Ｓを有する扁平な袋状のシートであり、該清掃用シートは、清掃柔軟性素材からなるヘッド部１０２と該ヘッド部を先端部に備えた柄１０３とからなる清掃具１０１における該ヘッド部１０２に、挿入空間Ｓを介して装着されて使用される。
【００３１】
ヘッド部１０２は、被清掃部を清掃するための清掃部を構成し、上記清掃用シート１は、該清掃部に装着される。
【００３２】
上記清掃具１０１について説明すると、上記ヘッド部１０２は、表面にメルトーム加工が施された軟質エステル系ウレタンフォーム製の多孔性の柔軟性素材（Ｃ硬度＝２０〜３５）から構成されている。上記ヘッド部１０２は、平面視したときの形状が先端部に二つの角部を有し且つ後方に進むにつれて幅広の六角形形状となるように設けられている（図示せず）。また、上記ヘッド部１０２は、先端部、また、幅方向に進むにつれてそれぞれ肉厚が薄くなるように設けられており、その断面形状は台形形状（図示せず）になっている。そして、下面部及びこれに連設する周面部の作る角部の角度は直角又はそれより鋭角となっている。
【００３３】
上記柄１０３は、握り手部分を備えた柄本体１３０と、その先端部に装着される装着部材（図示せず）とから構成されている。柄本体１３０は、装着部材を組み付けて当該装着部材に上記ヘッド部１０２を装着したときに、握り手の部分がヘッド部１０２よりも高く位置するように湾曲した形態に設けられている。また、柄本体１３０は、中空構造に設けられてあり、当該清掃具１０１の重心がヘッド部２に位置するよう設けられている。
【００３４】
また、上記装着部材の上・下面部には、清掃用シートを当該ヘッド部１０２に装着固定するための固定部を構成するクリッパー（図示せず）がそれぞれ嵌合されている。クリッパーには、菊座と称されるスリットを形成する可撓製の複数の片部が設けられており、清掃用シートの開口部近傍４ａをスリットに押し込むだけで、その固定が簡単且つ確実に行えるようになっている。
【００３５】
そして、上記清掃具１０１は、ヘッド部１０２に上記清掃用シートを被せるように装着し、次いで、上記クリッパーに清掃用シート１の開口部近傍４ａを押し込んで、当該清掃用シート１をヘッド部１０２にしっかりと固定することにより使用される。
【００３６】
そして、比較的面積の広いテーブル、机などは、主として清掃用シート１のシール部１１の内側を利用して埃などを拭き取る。また、キーボードのキーの間等の狭い隙間等は、非シール部１１ａを挿入して埃などを吸着させて掃除する。
【００３７】
そして、本形態の清掃用シート１は、上述の如く構成されているので、使用に伴い易汚染部１２は汚れるが難汚染部１３は汚れず、使用に伴い、難汚染部１３、本形態においては各種のマークが浮き出てくる。そして、両者のコントラストがはっきりした時点で取り替えが必要なことが使用者において容易に判別できる。好ましくは、難汚染部１３は、上記清掃具１０１のヘッド部１０２の清掃部の全体に亘って位置するように設けられる。「全体に」とは、清掃用シートの全てが難汚染性ということではなく、装着される清掃用シートが適宜間隔で難汚染部を有することにより、ヘッド部の清掃部の全体に適宜間隔で難汚染部が位置し、汚れの程度および汚れの領域が視覚的に認知できることを意味する。特に掃除具に取り付けて使用される清掃用シートの場合に有効である。
【００３８】
このため、本形態の清掃用シート１は、常に清掃効率が良好な状態で清掃を行うことができるものである。
【００３９】
本形態の清掃用シート１は、常法に従って、不織布を作成し、更に、上述の如くしてマークをつけて難汚染部１３を作成し、最終に上記シール部１１においてヒートシールして２枚のシートを接合することにより、製造することができる。
【００４０】
尚、本発明の清掃用シートは、上述の形態に制限されるものではなく、本発明の趣旨を逸脱しない範囲で種々変更可能である。
【００４１】
例えば、上述の形態では、ハンディタイプの清掃具１０１に装着して用いられる清掃用シートにより説明したが、この他に床用の清掃具に装着して用いられる清掃用シートなど種々の形態とすることができる。
【００４２】
また、上記清掃用シート１としては、上述のような、袋状でなく、シート状等種々の形態とすることができる。
【００４３】
更に、上記難汚染部の形状等も本発明の所望の効果が発揮されれば任意である。
【００４４】
【発明の効果】
本発明の清掃用シートは、取り替え時期を容易に知ることができ、清掃効率が高い状態で清掃を行うことができるものである。
【図面の簡単な説明】
【図１】図１は、本発明の清掃用シートの１形態を示す平面図である。
【図２】図２は、図１に示す清掃用シートの使用形態を示す斜視図である。
【符号の説明】
１    清掃用シート
１ａ  不織布
１１    シール部
１２    易汚染部
１３    難汚染部
【図１】
0003948820.tif 000002
【図２】
0003948820.tif 000003